(57)【要約】  本発明の抽出容器及び蓋は、飲料を飲み制御可能に抽出するのに適し、抽出容器及び蓋は、容器、容器に取付け可能な蓋、及び抽出バッグを含み、容器は、Ｖに似た形状のベース及び開口端を画定する上側縁を有し、蓋は、上側側面、飲料を飲むための上側側面を通して画定された開口、及び上側側面から離れて延出するカップを有し、カップは、抽出バッグを受取り、容器内の液体が抽出バッグ内の抽出材料に浸漬させることを可能にするように構成される。Ｖに似た形状のベースは、容器及び容器に取付けられた蓋が、少なくとも２つの別個の直立位置に設置されることを可能にし、少なくとも２つの別個の直立位置は、容器が第１及び第２の角度付き側面の一方の側面上に直立しているときの抽出位置及び非抽出位置である。【選択図】  図１
2017524621.tif 000002
【特許請求の範囲】
【請求項１】
飲料を飲み制御可能に抽出するための抽出容器及び蓋であって、
第１の角度付き側面及び第２の角度付き側面を特徴とするベース並びに前記ベースに対向する開口端を画定する上側縁を有する容器を備え、前記容器は液体を受取るように構成され、
前記容器の前記上側縁に取外し可能に取付け可能な蓋を備え、前記蓋は、上側側面、前記上側側面を通して画定開口、及び、前記上側側面から離れて延出するカップを有し、前記カップは、抽出バッグを取外し可能に受取るように構成され、
前記ベースの前記第１及び第２の角度付き側面は、前記容器及び前記容器に取付けられた前記蓋が、少なくとも２つの別個の直立位置に設置されることを可能にし、前記少なくとも２つの別個の直立位置は、前記容器が前記第１及び第２の角度付き側面の一方の側面上に直立しているときの抽出位置及び非抽出位置である、抽出容器及び蓋。
【請求項２】
前記蓋は、前記開口と前記カップとの間に窪んだベース部分を更に備える、請求項１に記載の抽出容器及び蓋。
【請求項３】
前記蓋は、前記上側側面から互いに向かって延出する一対の壁及び前記壁の間の第１の棚を更に備え、前記第１の棚は、前記第１の棚の上でかつ前記壁の間に開口空間を画定し、前記壁及び前記第１の棚は、前記カップと前記窪んだベースとの間に位置する、請求項１に記載の抽出容器及び蓋。
【請求項４】
前記カップは、前記第１の棚と同じ平面上に第２の棚を更に備える、請求項３に記載の抽出容器及び蓋。
【請求項５】
前記蓋の前記カップは、少なくとも１つのスロットを画定する第１の壁、第２の壁、及び少なくとも開口を画定するカップベースを更に備える、請求項４に記載の抽出容器及び蓋。
【請求項６】
前記第１の壁は前記第２の棚から離れて延出し、前記第２の壁は前記第１の棚から延出する、請求項５に記載の抽出容器及び蓋。
【請求項７】
前記スロットの少なくとも一部分及び前記カップの前記開口は、前記容器が前記抽出位置にあるとき、前記液体内に浸漬される、請求項５に記載の抽出容器及び蓋。
【請求項８】
前記第１の壁は弧状であり、前記第２の壁は平面である、請求項５に記載の抽出容器及び蓋。
【請求項９】
前記第２の棚は、前記抽出バッグの第２のセクションが前記カップ内に受取られるように前記抽出バッグの第１のセクションの少なくとも一部分を支持するように構成される、請求項４に記載の抽出容器及び蓋。
【請求項１０】
前記蓋は、突出部を更に備え、前記突出部は、前記第２の棚から離間した関係で前記上側側面から延出して、前記突出部と前記第２の棚との間にノッチを画定する、請求項９に記載の抽出容器及び蓋。
【請求項１１】
前記ノッチは、前記抽出バッグを格納位置に固定するため、前記抽出バッグの前記第１のセクションの第２の部分を前記ノッチ内に受取るように構成され、一方、前記抽出バッグの前記第２のセクションは、前記蓋の前記窪んだベースに隣接し、前記抽出バッグを前記格納位置内に配向する、請求項１０に記載の抽出容器及び蓋。
【請求項１２】
前記格納位置内で、前記第２の棚は、前記抽出バッグの前記第１のセクションの周縁を支持する、請求項１１に記載の抽出容器及び蓋。
【請求項１３】
抽出容器及び蓋を使用する方法であって、
ａ）容器を液体で所定のレベルまで充填するステップと、
ｂ）前記容器の上側縁に蓋を取付けるステップと、
ｃ）抽出材料を含む抽出バッグを前記蓋のカップに挿入するステップであって、それにより、前記抽出材料は前記カップの内部にある、挿入するステップとを含み、前記カップは、前記蓋が前記容器に取付けられると、前記蓋の上側側面から前記液体に向かって延出し、
ｄ）前記容器のベースの角度付き側面が表面上に載るように前記容器を傾斜させるステップと、
ｅ）前記液体が、前記抽出バッグの前記抽出材料に接触するように前記カップに入ることを可能にするステップとを含む、方法。
【請求項１４】
前記容器をステップｄ）の方向と反対の方向に傾斜させるステップであって、それにより、前記抽出材料を前記液体から取除く、傾斜させるステップを更に含む、請求項１３に記載の方法。
【請求項１５】
前記蓋は、第１の棚、及び、前記第１の棚と同じ平面上の第２の棚を更に備え、前記第２の棚は、前記抽出材料を含む前記抽出バッグの第２のセクションが前記カップ内に受取られるように前記抽出バッグの第１のセクションの少なくとも一部分を支持するように構成される、請求項１３に記載の方法。
【発明の詳細な説明】
【技術分野】
【０００１】
本発明は、容器内で飲料を制御可能に抽出する又は浸漬させることに関連して使用するための抽出容器及び蓋に関する。容器は、Ｖに似た形状のベースによって達成される機能的形状を有し、容器が、２つの別個の直立位置、すなわち、抽出するための位置及び抽出済み飲料を飲むための別の中立又は非抽出位置に設置される可能性がある。
【背景技術】
【０００２】
飲料を抽出する又は浸漬させるのを補助する容器及び蓋の使用が当技術分野で知られている。しかし、これらの知られているデバイスは、ユーザが要求する浸漬時間を制御できない点で欠点を有する。
【０００３】
ティー又はコーヒーは、通常、バッグを抽出することによってか、ティーブレード／リーフを通して水を注ぐことによってか、又は、水を異なる容器内のティーブレードと接触状態に維持し、その後、容器をティーカップから取除くことによって作られる。既存の解決策に関する問題は、飲む前のティーからの抽出バッグ又は容器の面倒な取除きついての必要性、バッグ及び容器の非実用的な充填及び清浄、及び、ティーの正しい濃度を得ることの困難さである。更に、ティー材料を含む容器は、しばしばそれほど密でなく、それにより、ティー材料がティー水に流れる。
【０００４】
先に述べたデバイスは、それらのそれぞれの特定の目的及び要求事項を満たすが、上述した特許は、容器内で飲料を制御可能に抽出する又は浸漬させることを可能にする抽出容器及び蓋を述べていない。
【発明の概要】
【発明が解決しようとする課題】
【０００５】
したがって、容器内で飲料を制御可能に抽出する又は浸漬させるために使用される可能性がある新しくかつ改良された抽出容器及び蓋についての必要性が存在する。この点に関して、本発明はこの必要性を実質的に満たす。この点に関して、本発明による抽出容器及び蓋は、従来の概念及び従来技術の設計から実質的に逸脱し、そうすることにおいて、容器内で飲料を制御可能に抽出する又は浸漬させるために主に開発された装置を提供する。
【課題を解決するための手段】
【０００６】
従来技術において現在存在する、知られているタイプの抽出容器及び蓋システムに固有の先の欠点を考慮して、本発明は、改良型抽出容器及び蓋を提供し、従来技術の先に述べた欠点及び不利益を克服する。したがって、後により詳細に述べられることになる本発明の一般的な目的は、先に述べた従来技術の全ての利点及び多くの新規な特徴を有する新しくかつ改良型の抽出容器及び蓋並びに方法を提供することであり、抽出容器及び蓋であって、単独で又はその任意の組合せで、従来技術によって、予測されない、明らかにされない、提案されない、又は更に示唆されない、抽出容器及び蓋をもたらす。
【０００７】
これを達成するため、本発明は、容器内で飲料を制御可能に抽出する又は浸漬させるための抽出容器及び蓋を本質的に備える。抽出容器及び蓋は、容器及び容器の上側縁に取外し可能に取付け可能な蓋を含む。容器は、第１の角度付き側面及び第２の角度付き側面を特徴とするベースを有する。容器の上側縁はベースに対向する開口端を画定する。容器は液体を受取るように構成される。蓋は、上側側面、上側側面を通して画定される開口、及び、上側側面から離れて延出するカップを有する。カップは、抽出バッグを取外し可能に受取るように構成される。ベースの第１及び第２の角度付き側面は、容器及び容器に取付けられた蓋が、少なくとも２つの別個の直立位置に設置されることを可能にし、少なくとも２つの別個の直立位置は、容器が第１及び第２の角度付き側面の一方の側面上に直立しているときの抽出位置及び非抽出位置である
【０００８】
本発明の蓋は、同様に、上側側面から互いに向かって延出する一対の壁及び壁の間の第１の棚を備える。第１の棚は、第１の棚の上でかつ壁の間に開口空間を画定する。壁及び第１の棚は、カップと窪んだベースとの間に位置する。
【０００９】
こうして、次に続く本発明の詳細な説明をよりよく理解することができるよう、また、当技術分野に対する本発明の寄与をよりよく理解することができるように、本発明のより重要な特徴が、むしろ広範に概説されている。
【００１０】
蓋は、同様に、開口とカップとの間に窪んだベース部分を含んでもよく、窪んだベースは、格納されかつ非抽出用の位置にあるときに抽出バッグの一部分を受取るように構成される。
【００１１】
もちろん、以降で述べられることになりまた添付特許請求の範囲の主題を形成することになる本発明の更なる特徴が存在する。
【００１２】
本発明の多数の目的、特徴、及び利点は、添付図面と合わせ読むと本発明の現在のところ好ましいがそれでも例証的である、実施形態の以下の詳細な説明を読むことによって当業者に容易に明らかになるであろう。この点に関して、本発明の現在の実施形態を説明する前に、本発明が、その用途において、以下の説明で述べられるか又は図面において示される構成要素の構造及び配置構成の詳細に限定されないことが理解される。本発明は、他の実施形態が可能であり、また、種々の方法で実施されることが可能である。同様に、本明細書で使用される言い回し及び用語が、説明のためのものであり、制限的であるとみなされるべきでないことが理解される。
【００１３】
したがって、本開示が基づく概念が、本発明の幾つかの目的を実施するための他の構造、方法、及びシステムの設計のための基礎として容易に利用されてもよいことを当業者は認識するであろう。したがって、特許請求の範囲が、本発明の精神及び範囲から逸脱しない限りにおいて、こうした等価な構造を含むものと見なされることが重要である。
【００１４】
したがって、従来技術の抽出容器の利点の全てを有しかつ欠点を全く持たない新しくかつ改良された抽出容器及び蓋を提供することが本発明の目的である。
【００１５】
容易にかつ効率的に製造され売りに出されてもよい新しくかつ改良された抽出容器及び蓋を提供することが本発明の別の目的である。
【００１６】
本発明のなお更なる目的は、材料と労力の両方に関して低い製造コストを有し、また、その後、一般消費者に対する低い販売価格が相応して可能である新しくかつ改良された抽出容器及び蓋を提供することであり、それにより、こうした抽出容器及び蓋を消費者にとって経済的に利用可能にする。
【００１７】
本発明の更に別の目的は、従来技術の装置及び方法において、通常それに関連する欠点の一部を同時に克服しながら、その利点の一部を提供する新しい抽出容器及び蓋を提供することである。
【００１８】
本発明のなお更に別の目的は、容器内で飲料を制御可能に抽出する又は浸漬させるための抽出容器及び蓋を提供することである。これは、容器の傾きを調整することによって、液体を浸漬させるか否かのオプション及び飲料の浸漬時間を制御するオプションをユーザに可能にする。
【００１９】
最後に、容器を液体で所定のレベルまで充填し、その後、容器の上側縁に蓋を取付けることによって抽出容器及び蓋を使用する新しくかつ改良された方法を提供することが本発明の目的である。抽出材料を含む抽出バッグは、その後、蓋のカップに挿入される場合があり、それにより、抽出材料はカップの内部にある。カップは、蓋が容器に取付けられると、蓋の上側側面から液体に向かって延出する。ユーザは、その後、容器のベースの角度付き側面が表面上に載るように容器を傾斜させ、その後、液体が、抽出バッグの抽出材料に接触するようにカップに入ることを可能にしてもよい。
【００２０】
本発明の他の目的と共にこれらの目的は、本発明を特徴付ける新規性の種々の特徴と共に、本開示の一部に付随するまたそれを形成する特許請求の範囲の特殊性によって指摘される。本発明、その有効な利点、及びその使用によって達成される特定の目的をよりよく理解するため、本発明の実施形態が示される添付図面及び説明事項に対して参照が行われるべきである。
【００２１】
本発明の以下の詳細な説明が考慮されると、本発明はよりよく理解され、先に述べられた目的以外の目的が明らかになるであろう。
【図面の簡単な説明】
【００２２】
【図１】抽出容器及び蓋の一実施形態の斜視図であり、分解された抽出バッグは本発明の原理に従って構築され、仮想ラインは、環境的構造を示し、特許請求される本発明の部分を全く形成しない。
【図２】本発明の抽出容器及び蓋の上部立面図である。
【図３】図１のライン３に沿って切取られた抽出容器及び蓋の断面図である。
【図４】図３の抽出容器及び蓋の拡大断面図である。
【図５】図３のライン５に沿って切取られた抽出容器及び蓋のベースの断面図である。
【図６】本発明の抽出バッグの斜視図である。
【図７】抽出バッグが格納位置にある、抽出容器及び蓋の斜視図である。
【図８】抽出バッグが抽出位置にある、抽出容器及び蓋の斜視図である。
【図９】非抽出位置に傾斜した抽出容器及び蓋の断面図である。
【図１０】抽出位置に傾斜した抽出容器及び蓋の断面図である。
【発明を実施するための形態】
【００２３】
同じ参照数字は、種々の図全体を通して同じ部品を指す。
【００２４】
ここで、図面、特に図１〜１０を参照すると、本発明の抽出容器及び蓋の一実施形態が、示され、参照数字１０によって全体的に指定される。
【００２５】
図１において、容器内で飲料を制御可能に抽出する又は浸漬させるための、本発明の新しくかつ改良された抽出容器及び蓋１０が示され述べられる。より詳細には、抽出容器及び蓋１０は、容器１２、蓋３０、及び抽出バッグ８０を含む。抽出容器１２は、表面上で支持され、容器１２内の液体又は飲料を飲むためユーザによって把持されるように構成される。
【００２６】
容器１２は、第１の角度付き側面１６及び第２の角度付き側面１８を特徴とするベース１４を有し、第１の角度付き側面１６及び第２の角度付き側面１８は、容器１２から離れて延出しながら１点に向かって集まるように構成される。ベース１４は、実質的にＶに似た形状の構成を有する。容器１２は、実質的に円柱の形状を有し、上側縁によって画定される開口端及び液体を保持するように構成される内部体積を画定する。容器１２は、断熱又は緩衝材料で作られる場合がある外側スリーブ２０を更に含んでもよい。容器の形状が開口端及び内部体積を画定する任意の形状である可能性があることが認識される可能性がある。蓋３０は、抽出バッグ８０を、容器の内部体積内にない格納位置において、また、容器の内部体積内にある抽出位置において取外し可能に保持するように構成される。
【００２７】
ここで図２及び３を参照すると、蓋３０は、上部側面３４から離れて延出する環状リム３２を含む。環状リム３２は、上部側面３４から外方にテーパが付いてもよい。開口３６は、上部側面３４を通して画定され、開口３６は、蓋３０が容器１２に嵌合されると、容器１２の内部体積と連通状態になる。蓋３０は、開口３６に隣接する第１のセクション及び開口３６に対向する第２のセクションに分割される。
【００２８】
第１のセクションは、上部側面３４から離間しかつそこから離れて延出する窪んだベース３８を有する。窪んだベース３８は、蓋３０の幅にわたって延出する縁を含む。一対の壁４０は、上側側面の対向する側面から互いに向かって延出し、一方、対向する側面の間にギャップを作る。壁４０は、縁を作るため、下方に窪んだベース３８まで延出する。
【００２９】
壁４０の間に、窪んだベース３８と壁４０の上部表面との間で或る高さを有する第１の棚４２が存在し、したがって、壁４０より小さい距離だけ窪んだベース３８から上方に延出する壁を作る。第１の棚４２は、壁４０の幅より大きな幅を有し、したがって、第１の棚４２を、壁４０の一方の側面上で壁４０を横切りかつそれに隣接して延出させる。
【００３０】
蓋３０の第２のセクションはカップ４６を含み、カップ４６は、蓋３０が嵌合設置されると、第２の棚４４から離れて容器１２の内部体積内に延出する。第２の棚４４は、第１の棚４２と同じ高さであり、したがって、図２及び３に最もよく示すように、上部側面４２から窪む第２のセクションの周縁に沿って連続する棚を作る。
【００３１】
カップ４２は、第１の壁４８、第２の壁５２、及びベース５４を含み、第１及び第２の壁は真っ直ぐか又はテーパ付きである。第１の壁４８は、環状リム３２に実質的に対応する形状を有してもよい又はプロファイルが弧状であってもよい。複数のスロット５０は第１の壁４８を通して第１の壁４８の長手方向に画定される。第２の壁５２は、第１の棚４２から延出し、第１の壁４８の端の間を接続してもよい。ベース５４は、図３に最もよく示すように、ベース５４を貫通する複数の開口５６を画定し、上部側面３４から下方に窪んだベース３８より大きな距離だけ延出する。スロット５０及び開口５６が、設置されると、容器１２の内部体積と連通状態にあり、それにより、液体及び／又は気体がスロット５０及び開口５６を通過することを可能にすることが認識される可能性がある。
【００３２】
図４を参照すると、蓋３０は、上部側面３４からかつ上部側面３４に平行に延出する突出部５８を更に含む。突出部５８は、突出部５８と第２の棚４４との間にノッチ６０を画定する。ノッチ６０は、抽出バッグ８０が格納位置にあるときに抽出バッグ８０のタグ８２を受取るサイズに作られる。蓋３０は、環状リム３２及び上部側面３４が接する場所で内部にかつ隣接して画定される環状溝６２を更に含む。溝６２は、開口端を画定する容器１２の上側縁２２をしっかりとかつ取外し可能に受取るように構成される。溝６２及び上側縁２２は、溝６２及び上側縁２２が連結することを可能にする対応するプロファイルを有する。溝６２は、容器１２から離れる環状リム３２の屈曲によって溝６２が拡大するときに上側縁２２が溝６２から解除されることを可能にするように更に構成される。
【００３３】
カップ４６のテーパ付き構成は、第１の壁４８と容器１２との間にギャップを作り、したがって、液体及び／又は気体は、スロット５０を通り、カップ４６の内部に入るように流れる。
【００３４】
図５で最もよく示されるベース１４は、第１及び第２の角度付き側面１６、１８を生成するため２つの角度で切断される円柱側壁で作られる。ベース１４の内部は、中空である、又は、限定はしないが断熱材料等の材料で充填されてもよい。ベース１４が容器１２の下部に取付け可能である別個の要素であり、それにより、標準的な容器又はカップを傾斜可能な容器に変換してもよいことが認識される可能性がある。
【００３５】
図６を参照すると、抽出バッグ８０は、タグ８２及びメッシュ付きパウチ８８を含む。タグ８２は、硬質材料で作られ、開口を画定する一対の縁８４及びストリップ８６を含む。縁８４は、互いに対向してストリップ８６の端に隣接する。ストリップ８６は、その端でタグ８２に柔軟に接続され、タブ及びスロット９０閉鎖手段を特徴とする。他の閉鎖手段が使用されてもよく、限定はしないが、スナップ、接着剤、及び機械的締結具が、タブ及びスロット９０の代わりに使用される可能性があることが認識される可能性がある。
【００３６】
メッシュ付きパウチ８８は、メッシュ付きパウチ８８の内部が開口と連通状態になるように、タグ８２及びストリップ８６に接続された開口端を有する。メッシュ付きパウチ８８は、限定はしないがティーリーフ等の抽出材料をメッシュ付きパウチ８８内に受取り保持するように構成される。
【００３７】
容器が、ユーザによって保持される又は持ち運ばれると上方に配向されるように、また更に、ユーザによって表面上に設置される又はユーザによって保持されると抽出位置又は非抽出位置になるよう傾斜するように設計され、したがって、ユーザが抽出バッグを所定の場所に維持することを可能にし、容器を直立にして持運ぶ又は保持している間に浸漬し続けないことが認識される可能性がある。これは、容器の設計によって又は容器を囲むカラーによって提供されてもよい。
【００３８】
データデバイスが、使い捨てか否かによらず容器１２又は蓋３０に関して組込まれてもよいことが同様に認識される可能性がある。データデバイスは、バーコード、光学コード、ラベル、無線周波数識別（ＲＦＩＤ）又は送受信機チップであってよいが、それに限定されない。ユーザは、可搬型電子デバイスによってデータデバイスをスキャンする可能性があり、その後、可搬型電子デバイスは、支払方法の役をしてもよい、ユーザに温度を信号送信してもよい、ウェブサイト上のアプリケーション又はデータベースを通して、浸漬時間、温度、健康上の利益、ティーが栽培された場所の地理学的情報、節約クーポン、ストアロイヤルティポイント、及びボーナス提供等をユーザに提供してもよい。このタイプの相互作用は、非常に有益であり、また、仮想で社会的でデジタルなメディアを、ティーを飲むこと等のような日常のありふれた物事に結び付けることにおけるブランドイメージを更に構築する場合がある。更に、本発明は、温度検知インクがその上にインプリントされている可能性があり、インクは非毒性大豆ベースインクである。本発明は再使用可能又は再充填可能である可能性がある。
【００３９】
バッグ格納位置において、図７に最もよく示すように、抽出バッグ８０がカップ４６内に位置するのではなく、蓋３０の上側内部内に保持されてもよいことがここで理解される可能性がある。タグ８２は、タグ８２の縁がノッチ６０内に受取られ、突出部５８によってノッチ６０内に保持されるように第２のセクション内に位置決めされる。この格納位置において、タグ８２の縁８４は、第２のセクションと連通状態にある壁４０の側面に当接又は隣接する。タグ８２又はストリップ８６の端部分は、その結果、第１の棚４２によって支持され、一方、タグ８２の周縁は第２の棚４４によって支持される。メッシュ付きパウチ８８は、相応して、窪んだベース３８の上の第１のセクション内に位置する。この格納位置において、抽出バッグ８０は、飲料がいつでも抽出される準備ができるまでカップ４６の外で維持される可能性がある。
【００４０】
抽出位置において、図８に最もよく示すように、抽出バッグ８０がカップ４６内に位置することがここで理解される可能性がある。ユーザは、メッシュ付きパウチがカップ４６の内部にあり、タグ８２がカップ４６の外にあるように抽出バッグ８０をカップ４６に挿入することになる。抽出バッグ８０の縁８４は、第２の棚４４に当接し第２の棚４４によって支持されて、メッシュ付きパウチをカップ４６の内部に維持する。第２の棚４４に関連するノッチ又はリッジ（図示せず）は、タグ８２を第２の棚４４上の所定の位置に固定するために使用されてもよい。
【００４１】
使用時、容器１２の非抽出位置の例が図９に示されることがここで理解される可能性がある。ユーザは、容器１２を液体で所定の液体レベルＬＬまで充填し、容器１２を表面Ｓ上に載せる可能性がある。ユーザは、容器１２を、ベース１４の第２の角度付き側面１８に載るように傾斜させる可能性がある。これは、カップ４６が液体レベルＬＬより上になるように表面Ｓに対して容器１２を傾斜させる又は角度を付けることになり、それにより、抽出バッグ８０を液体に浸漬させない。非抽出位置は、液体がカップ４６に入ることを防止し、したがって、液体が抽出又は浸漬されることを防止する。
【００４２】
液体を抽出する又は浸漬させるため、ユーザは、ベース１４の第１の角度付き側面１６が表面Ｓ上に載るように容器１２を傾斜させる可能性がある。これは、カップ４６の第１の壁４８及び第２の壁５２の下側部分並びにベース５４が液体レベルＬＬより下になるよう容器１２を傾斜させることになる。その結果、抽出位置にある抽出バッグ８０は、そのメッシュ付きパウチ８８が液体に浸漬されることになる。容器１２内の液体は、ここで、第１の壁４８のスロット５０及びベース５４の開口５６を介してカップ４６内に移動することが許可されることになる。カップ４６内の液体は、メッシュ付きパウチ８８内の抽出材料によって抽出又は浸漬し始めることになる。所定の時間後に、ユーザは、容器１２を元の非抽出位置又は直立位置に傾斜させることによって液体の抽出又は浸漬を停止してもよい。浸漬時間量及び抽出濃度は、単に容器１２が存在する傾斜量によってユーザによって制御される。
【００４３】
抽出容器及び蓋の実施形態が詳細に述べられたが、その全てが、本発明の真の精神及び範囲内に入る、実施形態に対する修正及び変形が可能であることが明らかであるべきである。先の説明に関して、サイズ、材料、形状、形態、機能、及び動作方法の変動を含む、本発明の部品についての最適な寸法関係が、当業者にとって容易に明らかにかつ明白になると思われ、また、図面に示され本明細書に記載される関係に対する等価な関係が本発明によって包含されることを意図されることが実現される。例えば、紙、金属、プラスチック、厚紙、又は種々の木材等の任意の適した丈夫な材料が、上述した任意のものに代わって使用されてもよい。また、容器内の飲料を制御可能に抽出し浸漬させることが述べられたが、本明細書で述べる抽出容器及び蓋が、同様に、蓋及びＶ形状ベースを有する容器内に格納される液体によって任意の材料を溶解させるのに適することが認識されるべきである。
【００４４】
したがって、前記は、本発明の原理を単に例証するためのものと考えられる。更に、多数の修正及び変更を当業者が容易に思い付くため、本発明を、示され述べられる厳密な構造及び動作に限定することは所望されず、したがって、本発明の範囲内に入る全ての適した修正及び等価物が行われてもよい。
【図１】
2017524621.tif 000003
【図２】
2017524621.tif 000004
【図３】
2017524621.tif 000005
【図４】
2017524621.tif 000006
【図５】
2017524621.tif 000007
【図６】
2017524621.tif 000008
【図７】
2017524621.tif 000009
【図８】
2017524621.tif 000010
【図９−１０】
2017524621.tif 000011
【国際調査報告】
2017524621.tif 000012